(57)【要約】【課題】多数の対訳例の中から緊急事態に関係する所望のものを迅速に探し出すことが可能な情報提示装置を提供すること。【解決手段】判定部１０２１は入力部１から入力された数字列が予め定められた緊急電話番号と同一であるか判定し、同一でない場合には通常処理部１０２２は入力数字列に基づいて通常の情報（例えば、通常のメッセージの一覧又は選択メニュー）を生成するための処理を行い、同一である場合には緊急処理部１０２３は入力された緊急電話番号に基づいて緊急用の情報（例えば、当該緊急電話番号に関連性を持つメッセージの一覧）を生成するための処理を行い、出力部１０３は生成された情報を提示する。多数の情報の中から緊急事態に関係する所望のものを迅速に探し出すことが可能になる。【選択図】    図１
2005025266.tif 000002
【特許請求の範囲】
【請求項１】
数字列を入力する手段と、
入力された前記数字列が、緊急電話番号と同一か否かを判定する判定手段と、
この判定手段により同一であると判定された場合に、入力された前記数字列に基づいて緊急用の情報を生成するための第１の処理を行う手段と、
前記判定手段により同一でないと判定された場合に、入力された前記数字列に基づいて緊急用の情報以外の情報を生成するための第２の処理を行う手段と、
前記第１の処理又は前記第２の処理により生成された情報を提示する提示手段とを備えたことを特徴とする情報提示装置。
【請求項２】
前記緊急用の情報は、入力された前記緊急電話番号に関連性を持つメッセージの一覧を含むものであることを特徴とする請求項１に記載の情報提示装置。
【請求項３】
前記第１の処理を行う手段は、
メッセージ番号に対応付けてメッセージを登録した第１のテーブルと、前記緊急電話番号に対応付けてメッセージ番号の一覧を登録した第２のテーブルとを備え、
入力された前記緊急電話番号をもとに該第２のテーブルを検索して、該当するメッセージ番号の一覧を取得し、
この取得したメッセージ番号をもとに該第１のテーブルを検索して該当するメッセージを取得し、
この取得したメッセージの一覧を含む前記緊急用の情報を生成することを特徴とする請求項２に記載の情報提示装置。
【請求項４】
前記メッセージは、複数の言語による対訳形式で記述されていることを特徴とする請求項２に記載の情報提示装置。
【請求項５】
提示された前記メッセージの一覧のうちユーザがいずれのメッセージを選択したかを示す信号を入力するメッセージ選択手段と、
前記複数の言語のうち予め定められた言語又はその都度選択された言語により、前記メッセージ選択手段からの信号により選択されたメッセージを音声出力する手段を更に備えたことを特徴とする請求項４に記載の情報提示装置。
【請求項６】
提示された前記メッセージの一覧のうちユーザがいずれのメッセージを選択したかを示す信号を入力するメッセージ選択手段と、
前記複数の言語のうち予め定められた言語又はその都度選択された言語により、前記メッセージ選択手段からの信号により選択された前記メッセージ選択手段からの信号により前記選択されたメッセージを含む電子メールを予め定められたメールアドレスへ宛てて送信する手段を更に備えたことを特徴とする請求項４に記載の情報提示装置。
【請求項７】
国を示す情報と当該国における緊急電話番号とを対応付けた第３のテーブルを記憶する手段と、
いずれの国の緊急電話番号を使用すべかを示す国情報を入力する手段と、
入力された前記国情報をもとに、前記第３のテーブルを検索して、該当する緊急電話番号を取得し、この取得した緊急電話番号を、前記予め定められた緊急電話番号として前記判定手段に設定する手段とを更に備えたことを特徴とする請求項１に記載の情報提示装置。
【請求項８】
数字列を入力するステップと、
入力された前記数字列が、緊急電話番号と同一で否かを判定する判定ステップと、
この判定ステップにより同一であると判定された場合に、入力された前記数字列に基づいて緊急用の情報を生成するための第１の処理を行うステップと、
前記判定ステップにより同一でないと判定された場合に、入力された前記数字列に基づいて緊急用の情報以外の情報を生成するための第２の処理を行うステップと、
前記第１の処理又は前記第２の処理により生成された情報を提示するステップとを有することを特徴とする情報提示方法。
【請求項９】
情報提示装置としてコンピュータを機能させるためのプログラムであって、
数字列を入力する機能と、
入力された前記数字列が、緊急電話番号と同一で否かを判定する判定機能と、
この判定機能により同一であると判定された場合に、入力された前記数字列に基づいて緊急用の情報を生成するための第１の処理を行う機能と、
前記判定機能により同一でないと判定された場合に、入力された前記数字列に基づいて緊急用の情報以外の情報を生成するための第２の処理を行う機能と、
前記第１の処理又は前記第２の処理により生成された情報を提示する機能とをコンピュータに実現させるためのプログラム。
【発明の詳細な説明】
【０００１】
【発明の属する技術分野】
本発明は、ユーザからの入力に基づいて情報を提示する情報提示装置、情報提示方法及びプログラムに関する。
【０００２】
【従来の技術】
外国語でのコミュニケーションを計算機で支援してほしいというニーズは古くからあり、いわゆる音声翻訳器の実現が強く望まれている。しかし、携帯可能なサイズの計算機ハードウェアで、雑音下でもロバストかつ正確な音声翻訳を行うには、音声認識技術や機械翻訳技術におけるブレークスルーを待たなければならない。
【０００３】
そのため、実用に供されているものとしては、計算機に記憶された多数の対訳例の中から所望の内容に合致するものをユーザが選択して、計算機に表示あるいは発声させるような情報提示装置がある。このような情報提示装置によれば、音声認識技術や機械翻訳技術を必要とせず、携帯情報端末上でもロバストに動作させることができる。
【０００４】
しかし、多数の対訳例の中から所望のものを探し出すためには、階層メニューを何階層も辿る必要があり、一定の時間を要するのが通常である（例えば、非特許文献１参照）。従って、急を要する状況（緊急事態と呼ぶものとする）にある場合（例えば、負傷した場合、急病に罹患した場合、救急車を呼んでほしい場合、助けを求めたい場合、犯罪被害に遭った場合、不法な行為を受けた場合、警察を呼んでほしい場合など）に、所望の対訳例を迅速に探し出すことができないという問題がある。
【０００５】
何らかの操作に対してショートカットキーを登録する技術（例えば、非特許文献２参照）を利用して、所望の対訳例を探し出す操作に対してショートカットキーを登録する方法も考えられるが、ユーザがショートカットキーを登録する手続きが煩雑であり、計算機に関する知識の少ないユーザには登録手続き自体が困難である上に、ユーザがショートカットキーの登録内容を失念してしまった場合には全く役に立たないという問題がある。
【０００６】
なお、このような問題点は、多数の文例の中から所望の内容に合致するものをユーザが選択して、表示あるいは発声させるようなシステムでも同様に発生する。
【０００７】
【非特許文献１】
ＵＮＩＫＯＴＥＣＨ  ＷＥＢ  ＰＡＧＥ
［２００３年６月２５日検索］、インターネット
＜ｈｔｔｐ：／／ｗｗｗ．ｕｎｉｋｏｔｅｃｈ．ｃｏｍ／ｊａｐａｎ／ｓｏｆｔｗａｒｅ＿０／０８．ｈｔｍｌ＞
【０００８】
【非特許文献２】
株式会社富士通パーソナルズ  Ｗｅｂ  Ｐａｇｅ
［２００３年６月２５日検索］、インターネット
＜ｈｔｔｐ：／／ｐｒ．ｆｕｊｉｔｓｕ．ｃｏｍ／ｊｐ／ｎｅｗｓ／１９９８／Ｊａｎ／２２−３．ｈｔｍｌ＞
【０００９】
【発明が解決しようとする課題】
上記のように、従来の情報提示装置では、緊急事態に関係する所望の情報を即座に探し出すことができないという問題があった。
【００１０】
本発明は、上記事情を考慮してなされたもので、多数の対訳例の中から緊急事態に関係する所望のものを迅速に探し出すことが可能な情報提示装置、情報提示方法及びプログラムを提供することを目的とする。
【００１１】
【課題を解決するための手段】
本発明に係る情報提示装置は、数字列を入力する手段と、入力された前記数字列が、緊急電話番号と同一か否かを判定する判定手段と、この判定手段により同一であると判定された場合に、入力された前記数字列に基づいて緊急用の情報を生成するための第１の処理を行う手段と、前記判定手段により同一でないと判定された場合に、入力された前記数字列に基づいて緊急用の情報以外の情報を生成するための第２の処理を行う手段と、前記第１の処理又は前記第２の処理により生成された情報を提示する提示手段とを備えたことを特徴とする。
【００１２】
また、本発明に係る情報提示方法は、数字列を入力するステップと、入力された前記数字列が、緊急電話番号と同一で否かを判定する判定ステップと、この判定ステップにより同一であると判定された場合に、入力された前記数字列に基づいて緊急用の情報を生成するための第１の処理を行うステップと、前記判定ステップにより同一でないと判定された場合に、入力された前記数字列に基づいて緊急用の情報以外の情報を生成するための第２の処理を行うステップと、前記第１の処理又は前記第２の処理により生成された情報を提示するステップとを有することを特徴とする。
【００１３】
また、本発明は、情報提示装置としてコンピュータを機能させるためのプログラムであって、数字列を入力する機能と、入力された前記数字列が、緊急電話番号と同一で否かを判定する判定機能と、この判定機能により同一であると判定された場合に、入力された前記数字列に基づいて緊急用の情報を生成するための第１の処理を行う機能と、前記判定機能により同一でないと判定された場合に、入力された前記数字列に基づいて緊急用の情報以外の情報を生成するための第２の処理を行う機能と、前記第１の処理又は前記第２の処理により生成された情報を提示する機能とをコンピュータに実現させるためのプログラムである。
【００１４】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読取り可能な記録媒体としても成立する。
【００１５】
本発明によれば、多数の対訳例の中から緊急事態に関係する所望のものを迅速に探し出すことが可能になる。
【００１６】
【発明の実施の形態】
以下、図面を参照しながら発明の実施の形態を説明する。
【００１７】
本実施形態では、日本語を母国語とするユーザが伝えたい内容を中国語で音声出力させるための情報提示装置を例にとって説明する。
【００１８】
図１に、本発明の一実施形態に係る情報提示装置の構成例を示す。
【００１９】
図１に示す通り、本情報提示装置は、ユーザからの入力情報を受付ける入力部１０１、ユーザからの入力情報に基づいて出力すべき情報を生成する情報生成部１０２、生成された情報を出力する出力部１０３を備えている。
【００２０】
また、情報生成部１０２は、通常のメッセージの生成処理を行う通常処理部１０２２、緊急のメッセージの生成処理を行う緊急処理部１０２３、通常のメッセージの生成処理を起動すべき入力情報か、緊急のメッセージの生成処理を起動すべき入力情報かを判定する判定部１０２１を含む。
【００２１】
図２に、情報生成部１０２における処理手順の一例を示す。
【００２２】
ここで、本実施形態では、ユーザが緊急事態用のメッセージの一覧を提示させたい場合には、ユーザは、情報提示装置に対して、緊急電話番号と同じ数字列を入力するものとしている。例えば、日本では状況に応じて緊急電話番号“１１０”（警察署）または緊急電話番号“１１９”（消防署）を入力する。
【００２３】
さて、入力部１０１がユーザから入力情報を受けると、判定部１０２１は、該入力情報が、予め登録された緊急電話番号と同じ数字列であるか否かを判定する（ステップＳ１）。なお、複数の緊急電話番号が登録されている場合には、該入力情報が、予め登録された複数の緊急電話番号のいずれかと同じ数字列であるか否かを判定する。
【００２４】
入力情報が緊急電話番号と同じ数字列である場合には、緊急のメッセージの生成処理を行い（ステップＳ２）、同じ数字列でない場合には、通常のメッセージの生成処理を行う（ステップＳ３）。
【００２５】
以下では、まず、通常のメッセージの生成処理について説明する。
【００２６】
なお、通常のメッセージの生成処理は、基本的には、公知の技術を用いて構わない。
【００２７】
ここで、図３〜図９の具体例を参照しながら、通常処理部１０２２による通常のメッセージの生成処理の例について説明する。
【００２８】
まず、図３に示す通り、本情報提示装置の表示画面には、提示させたい情報に関係する場面を選択するためのメニュー画面が表示される。図３では、一例として６つの場面を列挙して提示しているが、実際には選択可能な場面が７以上存在する場合には、例えばスクロールなどによって全場面を提示可能にする。もちろん、提示方法はこれに限定されるものではない。
【００２９】
なお、この例では、場面は、階層状に分類されているものとする。また、最下層の場面が選択されると、この選択された場面で提示されるメッセージの一覧が表示されるものとする。
【００３０】
さて、図３の例において、ユーザはメニューの中から所望の場面（例えば自分が置かれている場面）を選択する。
【００３１】
このユーザによる選択は、例えば、図４に示す通り、タッチペンで画面を直接指示することによって行うことができるようにしてもよいし、また、例えば、図５（ａ）〜（ｃ）に示す通り、テンキーのうち、場面に対応する番号（例えば、場面“宿泊”に対応する番号は“２”）のキーをタッチペンで指示し、続けてリターンキーを指示することによって行うことができるようにしてもよい。なお、図５において領域１２０は現在入力中の数字列を表示するものである（図５以外では省略している）。もちろん、ユーザ選択方法は、これに限定されるものではない。
【００３２】
例えば、図４のようにユーザが場面“宿泊”を選択すると（あるいは、図５に示す通り宿泊に対応する番号２を入力すると）、図６のように、メニュー画面は場面“宿泊”の下位の階層に移る。
【００３３】
ここで、ユーザは“宿泊”メニューの中から更に細分化された場面を選択する。
【００３４】
例えば、図７に示す通りユーザが場面“チェックイン”を選択すると（あるいは、チェックインに対応する番号２を入力すると）、図８に示す通り、この選択した場面で情報提示可能なメッセージの一覧が表示される。
【００３５】
この一覧では、メッセージは日本語と中国語との対訳形式になっており、ユーザは、母国語である日本語で表示された内容をたよりにして、所望のメッセージを選択することができる。
【００３６】
図９に示す通り、ユーザによりいずれかのメッセージが選択されると、この選択されたメッセージが本情報提示装置に内蔵されたスピーカーから中国語で発声される。
【００３７】
なお、図９の例では、所望のメッセージを日本語で選択するようになっているが、中国語で選択できるようにしてもよいし、いずれでも選択できるようにしてもよい。また、図９の例では、所望のメッセージを番号で選択できないようになっているが、図７の場合と同様に、所望のメッセージを番号で選択できるようにしてもよい。
【００３８】
このようにして、ユーザは所望のメッセージを中国語で音声出力させることが可能となる。
【００３９】
なお、この通常のメッセージの生成処理において、場面に対応する番号による選択が可能な場合に、場面に対応する番号（図３等参照）のうち、緊急電話番号（例えば、“１１０”、“１１９”）と一致する番号については、それらを欠番にして使用しないようにしてもよい。すなわち、通常のメッセージの生成処理において、通常のメッセージ用の情報にも緊急電話番号と一致する番号が割り当てられていると、混乱もしくは矛盾が生じる。このため緊急電話番号を欠番にすることによって上記混乱や矛盾を回避することができる（例えば、通常のメッセージの生成処理において、画面スクロールがなされると、番号“１１０”や“１１９”は表示されない）。あるいは、通常のメッセージの生成処理において、緊急電話番号と一致する番号については、例外的に、「緊急」などといった場面を割り当てるようにしてもよい（例えば、通常のメッセージの生成処理において、画面スクロールがなされると、番号“１１０”や“１１９”は表示され、これら番号がタッチペンで指示されると、後述する緊急処理で番号“１１０”や“１１９”がテンキー入力された場合と同様のメッセージ一覧が表示される）。
【００４０】
なお、図３の例ではタッチパネルを採用しているので、入力部１０１はタッチパネルに対応し、出力部１０３のうち、画面出力はタッチパネル（このタッチパネルには、液晶ディスプレイ等を含む）に対応し、音声出力はスピーカーに対応する。
【００４１】
次に、緊急のメッセージの生成処理について説明する。
【００４２】
図１０に、情報生成部１０２の緊急処理部１０２３の内部構成例を示す。図１０に示す通り、本構成例の緊急処理部１０２３は、制御部１０２３１、緊急メッセージ番号索引１０２３２、メッセージデータベース１０２３３を備えている。
【００４３】
図１１に、緊急のメッセージの生成処理手順の一例を示す。
【００４４】
ここで、ユーザは、例えば図５の操作と同様にして、緊急電話番号と同じ数字列“１１０”または“１１９”をテンキー入力したものとする。なお、例えば、図１２に示す通り選択メニューが表示されている画面上の小領域に緊急電話番号と同じ数字列“１１０”や“１１９”に対応するＧＵＩによるワンタッチ・ボタンを設け、ユーザがこのボタンを選択することによって、数字列“１１０”や“１１９”をワンタッチで入力できるようにしてもよい。あるいは、本情報提示装置の筺体に、数字列“１１０”や“１１９”に対応する現実のワンタッチ・ボタンを設け、ユーザがこのボタンを押すことによって、数字列“１１０”や“１１９”をワンタッチで入力できるようにしてもよい。
【００４５】
あるいは、図１３（ａ）に示す通り、最上位の選択メニューの画面に「０．緊急」の項目（もちろん、「０．  １１０／１１９」など他の名称の項目でも構わない）を設け、ユーザがこの「０．緊急」を選択すると（番号０を入力してもよい）、次いで図１３（ｂ）のように、「０−１．  １１０」や「０−２．  １１９」の階層メニューに移り、ユーザがここで「０−１．  １１０」や「０−２．１１９」を選択することによって（番号１や２を入力してもよい）、数字列“１１０”や“１１９”を入力できるようにしてもよい。
【００４６】
さて、緊急電話番号と同じ数字列“１１０”または“１１９”が入力されると、情報生成部１０２の判定部１０２１において、緊急のメッセージの生成処理を起動すべきと判断される。
【００４７】
情報生成部１０２の緊急処理部１０２３の制御部１０２３１は、入力部１０１がユーザから受けた数字列を判定部１０２１を介して受け取ると、該数字列をキーとして緊急メッセージ番号索引１０２３２を検索し、当該数字列に対応した１又は複数のメッセージ番号を取得する（ステップＳ１１）。
【００４８】
図１４に、緊急メッセージ番号索引１０２３２の一例を示す。図１４の例では、数字列“１１０”に対応するメッセージ番号には“２５”、“９８”、“２１７”等があり、数字列“１１９”に対応するメッセージ番号には“１３”、“５７”、“１４４”、“２０６”、“２９９”等があることが示されている。
【００４９】
続いて、制御部１０２３１は、上記のようにして緊急メッセージ番号索引１０２３２から取得したメッセージ番号に対応するメッセージを、メッセージデータベース１０２３３から取り出す（ステップＳ１２）。
【００５０】
図１５に、メッセージデータベース１０２３３に格納されたデータの内容の一例を示す。図１５の例は、メッセージ番号に対応する各メッセージの内容について、日本語と中国語との対訳形式で格納されている様子を示している。
【００５１】
メッセージデータベース１０２３３から取り出されたメッセージは、出力部１０３を通して表示される（ステップＳ１３）。図１６に、このステップＳ１３で表示されたときの画面の様子を例示する。
【００５２】
ユーザは表示されたメッセージの中から所望のものを選択する。
【００５３】
なお、前述の通り、所望のメッセージを日本語で選択するようにしてもよいし、中国語で選択できるようにしてもよいし、いずれでも選択できるようにしてもよい。また、所望のメッセージを番号で選択できるようにしてもよい。
【００５４】
制御部１０２３１は、ユーザによりメッセージが選択されると（ステップＳ１４）、この選択されたメッセージをスピーカーから中国語で発声させる（ステップＳ１５）。図１７に、このときの様子を例示する。
【００５５】
先に説明した通常のメッセージの生成処理では、ユーザが所望のメッセージにたどり着くためには、階層化された場面をたどり最下層の場面に属する様々な種類のメッセージの中から所望のメッセージを探し出さなければならないため、非常に時間がかかることがある。これに対して緊急のメッセージの生成処理によれば場面の階層をたどる必要がなく、本情報提示装置が提示するメッセージの数も絞り込まれているため、効率よく緊急の所望のメッセージを探し出すことができる。
【００５６】
また、通常、１１０や１１９のような緊急電話番号はユーザにとって非常になじみ深いもので、とっさの場合であっても容易に思い出すことができるため、この番号を忘れてしまってこの機能を使うことができなくなるという心配が無い。
【００５７】
なお、本実施形態では、入力部１０１としてタッチパネルを用いる場合を中心に説明したが、もちろん、キーボード操作による入力など、他の入力形態も利用可能である。
【００５８】
また、本情報提示装置は、専用機として実現されるものであってもよいし、ＰＤＡ上でプログラムを実行することによって実現されるものであってもよいし、携帯電話端末上でプログラムを実行することによって実現されるものであってもよい。その他にも、種々の実現形態が可能である。
【００５９】
また、本実施形態では、第１の言語で記述されたメッセージに対応する第２の言語で記述されたメッセージを提示する場合に、第１の言語を日本語とし、第２の言語を中国語とするものを例にとって説明したが、もちろん第１の言語と第２の言語の組合せは基本的には任意である。
【００６０】
また、本実施形態では、最下層のメニューが、第１の言語（例えば、日本語）のメッセージと第２の言語（例えば、中国語）のメッセージの対の一覧になっており、選択したメッセージについて第２の言語での音声出力のみが可能であったが、当該メッセージについてユーザが第１及び第２の言語のうちから選択した言語によって音声出力できるようにしてもよい。
【００６１】
また、本実施形態では第２の言語が１種類の場合の例であったが、第１の言語のメッセージに対応する第２の言語が複数種類の場合であってもよい。この場合には、例えば、最下層のメニューが第１の言語（例えば、日本語）のメッセージ及び複数の第２の言語（例えば英語と中国語とフランス語）のメッセージを含む組の一覧になっており、ユーザにより選択されたメッセージを、（例えばユーザにより予めあるいはその都度）選択された第２の言語（例えば英語）によって音声出力可能にすればよい。もちろん、この場合にも第１の言語での音声出力を選択可能にしてもよい。
【００６２】
なお、本実施形態では、選択されたメッセージをスピーカーを用いて音声出力する場合を例にとって説明したが、もちろん、選択されたメッセージを（例えば、拡大するなどして）画面に表示させる形態としてもよい。また、予め定められたメールアドレスへ宛てて、選択された（第２の言語による）メッセージを含む電子メールを送信する形態も可能である。
【００６３】
また、本実施形態では、第１の言語で記述されたメッセージに対応する第２の言語で記述されたメッセージを提示し、選択されたメッセージを音声出力等する場合を例にとって説明したが、例えば、これまで説明した例において、最下層のメニューが、第１の言語（例えば、日本語）のメッセージのみによる一覧になっており、ユーザが選択したメッセージを、当該第１の言語のみによって音声出力等するような情報提示装置も実現可能である。
【００６４】
ところで、ある言語を母国語としている国等が唯一である場合には、緊急電話番号は特定のものに定まるが、ある言語を母国語としている国等が複数存在する場合には、国等によって、緊急電話番号が異なる場合や、緊急電話番号の種類（例えば、日本における１１０と１１９の２種類）が異なる場合が発生し得る。
【００６５】
以下では、このような場合を想定した構成例について説明する。なお、以下では、これまでの説明した構成と相違する部分を中心に説明する。
【００６６】
まず、本情報提示装置は、ユーザに対して国等の一覧表を提示するなどして、ユーザが国等の一覧表から所望の国等を選択できるようにする。
【００６７】
他方、本情報提示装置の情報生成部１０２は、図１８に例示するような国等と緊急電話番号との対応表を有しており、当該対応表に基づき、ユーザにより選択された国等に対応する緊急電話番号が、判定部１０２１にセットされる。例えば、Ａ国が選択された場合には、第１の緊急電話番号としてａ１番がセットされ、第２の緊急電話番号としてａ２番がセットされる。これによって、判定部１０２１は、当該国に対応する緊急電話番号により判定処理を行うことができる。
【００６８】
また、情報生成部１０２の緊急処理部１０２３において、緊急メッセージ番号索引１０２３２の各キーの項目に、該当する緊急電話番号がセットされる。例えば、図１８の例の場合に、Ａ国が選択されたときは、緊急メッセージ番号索引１０２３２の各キーは図１９のようにセットされ、Ｂ国が選択されたときは、各キーは図２０のようにセットされる。これによって、緊急処理部１０２３は、当該国に対応する緊急電話番号をキーとして、緊急メッセージ番号索引１０２３２を検索することができる。なお、例えば、図１８の例におけるＣ国のように第１の緊急電話番号と第２の緊急電話番号が同一である場合があったとしても、Ｃ国が選択されたときは、各キーは図２１のようにセットされるので、同様に実施することができる。
【００６９】
なお、上記では、緊急メッセージ番号索引１０２３２の各キーの項目に、選択された国等に対応する緊急電話番号をセットするようにしたが、予め国等ごとに独立した緊急メッセージ番号索引１０２３２を設けてもよい。この場合に、国等に応じて、緊急メッセージ番号索引１０２３２のメッセージ番号リストの内容が異なるようにしてもよい。
【００７０】
もちろん、上記した構成は一例であり、選択された国等と、当該国等における緊急電話番号との対応が付けられれば、どのような構成を採用しても構わない。
【００７１】
また、これまでは、緊急電話番号が最大２種類ある場合を例にとって説明したが、緊急電話番号が最大３以上ある場合も同様に実施可能である。
【００７２】
なお、以上の各機能は、ソフトウェアとして記述し適当な機構をもったコンピュータに処理させても実現可能である。
また、本実施形態は、コンピュータに所定の手段を実行させるための、あるいはコンピュータを所定の手段として機能させるための、あるいはコンピュータに所定の機能を実現させるためのプログラムとして実施することもできる。加えて該プログラムを記録したコンピュータ読取り可能な記録媒体として実施することもできる。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７４】
【発明の効果】
本発明によれば、多数の対訳例の中から緊急事態に関係する所望のものを迅速に探し出すことが可能になる。
【図面の簡単な説明】
【図１】本発明の一実施形態に係るが適用される情報提示装置の構成例を示す図
【図２】同情報生成部内の判定部の処理手順の一例を示すフローチャート
【図３】同情報提示装置の入出力について説明するための図
【図４】同情報提示装置の入出力について説明するための図
【図５】同情報提示装置の入出力について説明するための図
【図６】同情報提示装置の入出力について説明するための図
【図７】同情報提示装置の入出力について説明するための図
【図８】同情報提示装置の入出力について説明するための図
【図９】同情報提示装置の入出力について説明するための図
【図１０】同情報生成部内の緊急処理部の構成例を示す図
【図１１】同緊急処理部の処理手順の一例を示すフローチャート
【図１２】同実施形態に係る情報提示装置の入出力画面について説明するための図
【図１３】同実施形態に係る情報提示装置の入出力画面について説明するための図
【図１４】同緊急処理部の緊急メッセージ番号索引の一例を示す図
【図１５】同緊急処理部のメッセージデータベースの一例を示す図
【図１６】同情報提示装置の入出力について説明するための図
【図１７】同情報提示装置の入出力について説明するための図
【図１８】緊急電話番号対応テーブルの一例を示す図
【図１９】同緊急処理部の緊急メッセージ番号索引の他の例を示す図
【図２０】同緊急処理部の緊急メッセージ番号索引の他の例を示す図
【図２１】同緊急処理部の緊急メッセージ番号索引の他の例を示す図
【符号の説明】
１０１…入力部、１０２…情報生成部、１０３…出力部、１０２１…判定部、１０２２…通常処理部、１０２３…緊急処理部、１０２３１…制御部、１０２３２…緊急メッセージ番号索引、１０２３３…メッセージデータベース
【図１】
2005025266.tif 000003
【図２】
2005025266.tif 000004
【図３】
2005025266.tif 000005
【図４】
2005025266.tif 000006
【図５】
2005025266.tif 000007
【図６】
2005025266.tif 000008
【図７】
2005025266.tif 000009
【図８】
2005025266.tif 000010
【図９】
2005025266.tif 000011
【図１０】
2005025266.tif 000012
【図１１】
2005025266.tif 000013
【図１２】
2005025266.tif 000014
【図１３】
2005025266.tif 000015
【図１４】
2005025266.tif 000016
【図１５】
2005025266.tif 000017
【図１６】
2005025266.tif 000018
【図１７】
2005025266.tif 000019
【図１８】
2005025266.tif 000020
【図１９】
2005025266.tif 000021
【図２０】
2005025266.tif 000022
【図２１】
2005025266.tif 000023